(57)【要約】【課題】箱内の収容物が箱の上端面から飛び出す大きさであってもその内容物を損傷させないように別の箱を積み重ねさせる。【解決手段】箱積重ね部材１００は、前面支持板１０と後面支持板２０と右側面支持板３０と左側面支持板４０と右側面支持板連結切出し部６１および６２と左側面支持板連結切出し部６３および６４とを備える。前面支持板１０は箱３００を前面３１０から支持し、後面支持板２０は箱３００を後面３２０から支持し、右側面支持板３０および左側面支持板４０はそれぞれ箱３００を右側面３３０および左側面３４０から支持する。右側面支持板連結切出し部６１および６２と左側面支持板連結切出し部６３および６４は、前面支持板下端部１２および後面支持板下端部２２を箱２００の内部に差し込み、右側面支持板下端部３２および左側面支持板下端部４２を箱２００の外部に出す作業を容易にする。【選択図】    図１
0003125437.tif 000002
【実用新案登録請求の範囲】
【請求項１】
第一の箱に第二の箱を積み重ねる際に前記第一の箱と前記第二の箱との間に挿入される箱積重ね部材であって、
前記第二の箱を前記第二の箱の前面側から支持する前面支持板と、
前記第二の箱を前記第二の箱の後面側から支持する後面支持板と、
前記第二の箱を前記第二の箱の右側面側から支持し前記前面支持板および後面支持板とその側端において連結させた右側面支持板と、
前記第二の箱を前記第二の箱の左側面側から支持し前記前面支持板および後面支持板とその側端において連結させた左側面支持板と、
前記前面支持板または後面支持板と前記右側面支持板とが連結された部分である右側面支持板連結部に沿って前記右側面支持板連結部の下端部から所定の形状に切り出された部分である右側面支持板連結切出し部と、
前記前面支持板または後面支持板と前記左側面支持板とが連結された部分である左側面支持板連結部に沿って前記左側面支持板連結部の下端部から所定の形状に切り出された部分である左側面支持板連結切出し部と
を具備することを特徴とする箱積重ね部材。
【請求項２】
前記右側面支持板連結部または左側面支持板連結部に沿って、前記前面支持板または後面支持板と前記右側面支持板または左側面支持板とが重合するように折り畳めるように前記右側面支持板連結部および左側面支持板連結部を構成したことを特徴とする請求項１記載の箱積重ね部材。
【請求項３】
前記右側面支持板連結部および左側面支持板連結部は、
前記前面支持板および後面支持板の両側端に設けられた円筒形状の筒部材と、
前記右側面支持板および左側面支持板の両側端に設けられた円柱形状のピンと
を備え、
前記筒部材に前記ピンを挿入することによって前記前面支持板と前記右側面支持板および左側面支持板、および前記後面支持板と前記右側面支持板および左側面支持板を連結させ、前記前面支持板と後面支持板と前記右側面支持板と左側面支持板とを前記ピンを支点として回動可能としたことを特徴とする請求項２記載の箱積重ね部材。
【考案の詳細な説明】
【技術分野】
【０００１】
本考案は、箱を積み重ねる際に用いられる箱積重ね部材に関し、特に箱の上端面から飛び出す程大きな物体が収容された箱に別の箱を積み重ねる際に用いられる箱積重ね部材に関する。
【背景技術】
【０００２】
植物等を市場に出荷する際、所定の大きさの箱に植物を入れて出荷する。植物を栽培して市場に出荷することを業として行う場合、その出荷量は多く大量の箱を使用する。大量の箱を使用する場合、箱を安定した状態で積み重ねることができれば、一度の輸送で植物を入れた箱を大量に輸送することができるため、輸送コストを低減すること可能となる。従来、箱を積み重ねる構造として、箱の上端部にＬ字形状の縁部材と角部材を設けた構造が提案されていた（例えば、特許文献１参照。）。
【特許文献１】特開平０９−１６５０４０（図２）
【考案の開示】
【考案が解決しようとする課題】
【０００３】
しかしながら、上記の箱の上端部にＬ字形状の縁部材と角部材を設けた構造の箱の場合、その箱に収容された内容物が箱の上端面から飛び出す大きさの場合、そのまま別の箱を積み重ねるとその内容物が損傷してしまう可能性がある。その内容物が損傷してしまうともはやその内容物には商品価値がなくなる。
【０００４】
そこで、本考案は、箱内の収容物が箱の上端面から飛び出す大きさであってもその内容物を損傷させないように別の箱を積み重ねさせる箱積重ね部材を提供することを目的とする。
【課題を解決するための手段】
【０００５】
上記課題を解決するため、本考案の箱積重ね部材は、第一の箱に第二の箱を積み重ねる際に上記第一の箱と上記第二の箱との間に挿入される箱積重ね部材であって、上記第二の箱を上記第二の箱の前面側から支持する前面支持板と、上記第二の箱を上記第二の箱の後面側から支持する後面支持板と、上記第二の箱を上記第二の箱の右側面側から支持し上記前面支持板および後面支持板とその側端において連結させた右側面支持板と、上記第二の箱を上記第二の箱の左側面側から支持し上記前面支持板および後面支持板とその側端において連結させた左側面支持板と、上記前面支持板または後面支持板と上記右側面支持板とが連結された部分である右側面支持板連結部に沿って上記右側面支持板連結部の下端部から所定の形状に切り出された部分である右側面支持板連結切出し部と、上記前面支持板または後面支持板と上記左側面支持板とが連結された部分である左側面支持板連結部に沿って上記左側面支持板連結部の下端部から所定の形状に切り出された部分である左側面支持板連結切出し部とを具備することを特徴とするものである。これにより、箱内の収容物が箱の上端面から飛び出す大きさであってもその内容物を損傷させないように別の箱を積み重ねさせるという作用をもたらす。
【０００６】
また、本考案の箱積重ね部材において、本考案の箱積重ね部材は、上記右側面支持板連結部または左側面支持板連結部に沿って、上記前面支持板または後面支持板と上記右側面支持板または左側面支持板とが重合するように折り畳めるように上記右側面支持板連結部および左側面支持板連結部を構成したことを特徴とするものである。これにより、本考案の箱積重ね部材をコンパクトにさせるという作用をもたらす。すなわち、本考案の箱積重ね部材を使用しない際には容易に保管することができるという効果をもたらす。
【０００７】
また、本考案の箱積重ね部材において、上記右側面支持板連結部および左側面支持板連結部は、上記前面支持板および後面支持板の両側端に設けられた円筒形状の筒部材と、上記右側面支持板および左側面支持板の両側端に設けられた円柱形状のピンとを備え、上記筒部材に上記ピンを挿入することによって上記前面支持板と上記右側面支持板および左側面支持板、および上記後面支持板と上記右側面支持板および左側面支持板を連結させ、上記前面支持板と後面支持板と上記右側面支持板と左側面支持板とを上記ピンを支点として回動可能としたことを特徴とするものである。これにより、本考案の箱積重ね部材にどのような材質を用いても箱積重ね部材をコンパクトに折り畳めるという作用をもたらす。
【考案の効果】
【０００８】
本考案によれば、箱内の収容物が箱の上端面から飛び出す大きさであってもその内容物を損傷させないように別の箱を積み重ねさせるという優れた効果を奏し得る。
【考案を実施するための最良の形態】
【０００９】
次に本考案の実施の形態について図面を参照して詳細に説明する。
【００１０】
図１は、本考案の実施の形態における箱積重ね部材１００の一例を示す図である。図１（ａ）は、箱積重ね部材１００を用いて箱２００に箱３００を積み重ねた様子を示す図である。本考案の実施の形態における箱積重ね部材１００は箱２００と箱３００との間に位置させて使用するものである。
【００１１】
すなわち、箱積重ね部材１００の下端部より下方に位置する箱２００の内部に箱積重ね部材１００の下端部の一部を差し込む。そして、箱積重ね部材１００の上端部より上方から箱３００を箱積重ね部材１００の上端部に載せる。
【００１２】
これにより、箱積重ね部材１００を介して箱２００の上方に所定の空間を設けて箱３００を積み重ねることができる。所定の空間は、箱積重ね部材１００の縦方向の長さを変えることによりその広さを変えることができる。箱２００に箱２００の上端面から飛び出す大きさの植物等が入れられていた場合に特に箱積重ね部材１００は効果を発揮する。
【００１３】
図１（ｂ）は、本考案の実施の形態における箱積重ね部材１００の斜視図である。箱積重ね部材１００は、前面支持板１０と、後面支持板２０と、右側面支持板３０と、左側面支持板４０と、右側面支持板連結切出し部６１および６２と、左側面支持板連結切出し部６３および６４とを備える。
【００１４】
前面支持板１０は、箱３００を前面３１０側から支持する板部材である。例えば箱３００の上端部の外周に設けられた箱縁３５０に、前面支持板１０の上端部である前面支持板上端部１１を差し込む。また、前面支持板１０の前面支持板下端部１２は、図１（ａ）に示すように箱２００の内部に差し込む。これにより、前面支持板１０は箱３００を前面３１０側から支持することになる。
【００１５】
後面支持板２０は、箱３００を後面３２０側から支持する板部材である。例えば箱３００の上端部に設けられた箱縁３５０に、後面支持板２０の上端部である後面支持板上端部２１を差し込む。また、後面支持板２０の後面支持板下端部２２は、前面支持板１０の前面支持板下端部１２の場合と同様に箱２００の内部に差し込む。これにより、後面支持板２０は箱３００を後面３２０側から支持することになる。
【００１６】
右側面支持板３０、左側面支持板４０は、それぞれ箱３００を右側面３３０側、左側面３４０側から支持する板部材である。例えば箱３００の上端部に設けられた箱縁３５０に、右側面支持板３０および左側面支持板４０の上端部である右側面支持板上端部３１および左側面支持板上端部４１を差し込む。これにより、右側面支持板３０、左側面支持板４０はそれぞれ箱３００を右側面３３０側、左側面３４０側から支持することになる。
【００１７】
また、右側面支持板３０および左側面支持板４０の下端部である右側面支持板下端部３２および左側面支持板下端部４２は、前面支持板１０の前面支持板下端部１２および後面支持板２０の後面支持板下端部２２の場合と違って、図１（ａ）に示すように箱２００の内部に差し込まない。
【００１８】
なお、前面支持板１０は、右側面支持板３０および左側面支持板４０と連結されている。すなわち、前面支持板１０の右側端部は右側面支持板３０の左側端部と連結されており、前面支持板１０の左側端部は左側面支持板４０の右側端部と連結されている。以下において、右側面支持板と連結された部分を右側面支持板連結部と呼ぶこととする。
【００１９】
また、後面支持板２０は、右側面支持板３０および左側面支持板４０と連結されている。すなわち、後面支持板２０の左側端部は右側面支持板３０の右側端部と連結されており、後面支持板２０の右側端部は左側面支持板４０の左側端部と連結されている。以下において、左側面支持板と連結された部分を左側面支持板連結部と呼ぶこととする。
【００２０】
右側面支持板連結切出し部６１および６２は、それぞれ右側面支持板連結部５１および５２に沿って右側面支持板連結部５１および５２の下端部から所定の形状で切り出された部分である。また、左側面支持板連結切出し部６３および６４は、それぞれ左側面支持板連結部５３および５４に沿って左側面支持板連結部５３および５４の下端部から所定の形状で切り出された部分である。このような目的を達成できる形状であれば、上記所定の形状はどのような形状であってもよい。
【００２１】
右側面支持板連結切出し部６１および６２と、左側面支持板連結切出し部６３および６４とは、図１（ａ）に示すように前面支持板下端部１２および後面支持板下端部２２を箱２００の内部に差し込ませ、右側面支持板下端部３２および左側面支持板下端部４２を箱２００の外部に出させる作業を容易にするために設けられた切込み部分である。
【００２２】
なお、図１（ａ）においては、前面支持板下端部１２および後面支持板下端部２２を箱２００の内部に差し込ませ、右側面支持板下端部３２および左側面支持板下端部４２を箱２００の外部に出させているが、逆に前面支持板下端部１２および後面支持板下端部２２を箱２００の外部に出させ、右側面支持板下端部３２および左側面支持板下端部４２を箱２００の内部に差し込ませるようにしてもよい。
【００２３】
図２は、本考案の実施の形態における箱積重ね部材１００を折り畳む様子を示す図である。箱積重ね部材１００は、図２（ａ）に示すように例えば、右側面支持板連結部５１および左側面支持板連結部５４に対して矢印Ａ方向に所定の力を加えると潰れて偏平になる。すなわち、箱積重ね部材１００は折り畳むことができる。箱積重ね部材１００を折り畳むことが可能な構造とするため、箱積重ね部材１００の材質として、例えばダンボール紙が想定されるがこれに限るものではない。
【００２４】
図２（ｂ）は、箱積重ね部材１００を折り畳んだ様子を示す図である。箱積重ね部材１００を図２（ａ）で説明したように折り畳むと、前面支持板１０と左側面支持板４０とが重合し、後面支持板２０と右側面支持板３０とが重合する。なお、図２においては、前面支持板１０と、後面支持板２０と、右側面支持板３０と、左側面支持板４０とは同じサイズのものとして描いてあるが、サイズはこれに限るものではない。さらに、右側面支持板連結部５１に沿って図２（ｂ）の矢印Ｂ方向に箱積重ね部材１００を折り畳むと、図２（ｃ）で示すように箱積重ね部材１００はコンパクトなサイズになる。
【００２５】
箱積重ね部材１００を折り畳める構造とすることによって、箱積重ね部材１００を使用しない際はコンパクトなサイズにして保管することができるため、箱積重ね部材１００を保管することが容易になるという利点がある。
【００２６】
図３は、本考案の別の実施の形態における箱積重ね部材４００の一例を示す図である。図３（ａ）は、本考案の別の実施の形態における箱積重ね部材４００の斜視図である。箱積重ね部材４００は、前面支持板１０と、後面支持板２０と、右側面支持板３０と、左側面支持板４０と、右側面支持板連結切出し部６１および６２と、左側面支持板連結切出し部６３および６４と、右側面支持板連結部材７１および７２と、左側面支持板連結部材７３および７４とを備える。
【００２７】
なお、箱積重ね部材４００において図１に示した箱積重ね部材１００と同じ機能を有する部分については同じ符号を用いている。また、同じ符号を用いたものに関しては図１で説明済みであるためその説明は省略する。
【００２８】
箱積重ね部材４００と箱積重ね部材１００との相違店は、前面支持板１０と右側面支持板３０および左側面支持板４０との連結の態様、および後面支持板２０と右側面支持板３０および左側面支持板４０との連結の態様である。すなわち、箱積重ね部材４００は、右側面支持板連結部材７１および７２と、左側面支持板連結部材７３および７４とによって、前面支持板１０と右側面支持板３０および左側面支持板４０との連結および後面支持板２０と右側面支持板３０および左側面支持板４０との連結を行っている。
【００２９】
図３（ｂ）は、図３（ａ）における楕円Ｃの部分の拡大図である。左側面支持板連結部材７３は、筒部材７３ａとピン７３ｂにより構成されている。例えば前面支持板１０の側端部に円筒形状の筒部材７３ａを設け、左側面支持板４０の側端部に円柱形状のピン７３ｂを設ける。そして、筒部材７３ａにピン７３ｂを挿入することによって前面支持板１０と左側面支持板４０とはその側端部において連結される。それと同時に、ピン７３ｂを支点として前面支持板１０と左側面支持板４０とは回動可能となる。すなわち、図２で説明した箱積重ね部材１００と同様に箱積重ね部材４００も折り畳み可能な構造となる。
【００３０】
右側面支持板連結部材７１および７２と左側面支持板連結部材７４も上記左側面支持板連結部材７３と同様の構造である。なお、図３に示した箱積重ね部材４００の場合、箱積重ね部材４００の材質として例えばプラスチック等の硬質な材質とすることが想定される。また、透明なプラスチック材を材質として用いると外部から箱に収容された内容物を見ることが可能になる。
【００３１】
このように、本考案の実施の形態における箱積重ね部材１００および４００によれば、箱２００に箱３００を重ねる場合に箱２００の上方に所定の空間を設けることができるため、箱２００に箱２００の上端面から飛び出す大きさの植物等が入れられていた場合に特に効果的である。また、本考案の実施の形態における箱積重ね部材１００および４００を折り畳み可能な構造とすることによって、箱積重ね部材１００および４００を保管することが容易になる。
【００３２】
なお、本考案の実施の形態では、箱２００に箱３００を重ねるというように２つの箱を重ねる場合を想定して説明したが、本考案の実施の形態における箱積重ね部材１００および４００を複数用いることによって、３つ以上の箱を積重ねることができる。
【００３３】
なお、本考案の実施の形態は本考案を具現化するための一例を示したものであり、これに限定されるものではなく本考案の要旨を逸脱しない範囲において種々の変形を施すことができる。
【産業上の利用可能性】
【００３４】
本考案の活用例として、箱の上端面から飛び出す大きさの植物等が入れられている箱に別の箱を積み重ねる場合に適用することができる。
【図面の簡単な説明】
【００３５】
【図１】本考案の実施の形態における箱積重ね部材１００の一例を示す図である。
【図２】本考案の実施の形態における箱積重ね部材１００を折り畳む様子を示す図である。
【図３】本考案の別の実施の形態における箱積重ね部材４００の一例を示す図である。
【符号の説明】
【００３６】
１０  前面支持板
１１  前面支持板上端部
１２  前面支持板下端部
２０  後面支持板
２１  後面支持板上端部
２２  後面支持板下端部
３０  右側面支持板
３１  右側面支持板上端部
３２  右側面支持板下端部
４０  左側面支持板
４１  左側面支持板上端部
４２  左側面支持板下端部
５１、５２  右側面支持板連結部
５３、５４  左側面支持板連結部
６１、６２  右側面支持板連結切出し部
６３、６４  左側面支持板連結切出し部
７１  右側面支持板連結部材
７３  左側面支持板連結部材
７３ａ  筒部材
７３ｂ  ピン
１００、４００  箱積重ね部材
２００、３００  箱
【図１】
0003125437.tif 000003
【図２】
0003125437.tif 000004
【図３】
0003125437.tif 000005